【手続補正書】
【提出日】平成17年6月22日(2005.6.22)
【手続補正１】
【補正対象書類名】特許請求の範囲
【補正対象項目名】全文
【補正方法】変更
【補正の内容】
【特許請求の範囲】
【請求項１】
物質が、STAT６とNCoA-１との相互作用を調整できるかどうかを決定する方法であって、
ａ）NCoA-1に結合する能力を有するSTAT６又はそのフラグメント若しくは誘導体を、STAT６及びNCoA-1又は前記フラグメント若しくは誘導体が複合体を形成することができる条件下で、STAT６に結合する能力を有するNCoA-1又はNCoA-1のフラグメント若しくは誘導体と接触し、かつ前記複合体を、測定可能な読み取り情報を誘発するのに使用可能であり、
ｂ）読み取り情報を、興味ある物質の不存在下又は存在下で測定し、
ｃ）興味ある物質の不存在下での読み取り情報が、興味ある物質の存在下の読み取り情報と比較される、
ことを特徴とする、方法。
【請求項２】
前記物質が、前記相互作用を活性化できる、請求項１記載の方法。
【請求項３】
前記物質が、前記相互作用を抑制できる、請求項１記載の方法。
【請求項４】
前記分析を、細胞系を使用して行う、請求項１記載の方法。
【請求項５】
前記分析を、細胞フリー系を使用して行う、請求項１記載の方法。
【請求項６】
配列番号２のSTAT６の少なくともアミノ酸６７７〜８４７を含むポリペプチドを使用する、請求項１〜５のいずれか１項記載の方法。
【請求項７】
配列番号２のSTAT６の少なくともアミノ酸６７７〜８４７を含み、配列番号１の他のアミノ酸配列に融合されているポリペプチドを使用する、請求項６項記載の方法。
【請求項８】
配列番号２のSTAT６の少なくともアミノ酸６７７〜８４７を含むポリペプチドを使用する、請求項１〜５のいずれか１項記載の方法。
【請求項９】
配列番号５のSTAT６の少なくともアミノ酸７９２〜８４７を含むポリペプチドを使用する、請求項１〜５のいずれか１項記載の方法。
【請求項１０】
配列番号６のSTAT６の少なくともアミノ酸７９４〜８１４を含むポリペプチドを使用する、請求項１〜５のいずれか１項記載の方法。
【請求項１１】
配列番号４のNCoA-1の少なくともアミノ酸２１２〜４６３を含むポリペプチドを使用する、請求項１〜１０のいずれか１項記載の方法。
【請求項１２】
配列番号４のNCoA-1の少なくともアミノ酸２１２〜４６３を含み、配列番号３の他のアミノ酸配列に融合されているポリペプチドを使用する、請求項１１記載の方法。
【請求項１３】
配列番号４のNCoA-1の少なくともアミノ酸２１２〜４６３を含むポリペプチドを使用する、請求項１〜１０のいずれか１項記載の方法。
【請求項１４】
前記STAT６又はそのフラグメント若しくは誘導体が、検出可能な標識に連結されている、請求項１〜１３のいずれか１項記載の方法。
【請求項１５】
前記NCoA-1又はそのフラグメント若しくは誘導体が、検出可能な標識に連結されている、請求項１〜１３のいずれか１項記載の方法。
【請求項１６】
前記標識が、少なくとも５つの連続したヒスチジン残基からなるヒスチジンタグである、請求項１４又は１５記載の方法。
【請求項１７】
以下の工程、
（ａ）配列番号６の少なくともアミノ酸７９４〜８１４を含む第一ポリペプチドを、容器又はその容器の一部に存在する固体担体に結合する工程、
（ｂ）興味ある物質又は偽のコントロールを添加する工程、
（ｃ）配列番号４のNCoA-1の少なくともアミノ酸２１２〜４６３を含む、検出可能な標識された第二ポリペプチドを、前記ポリペプチドの両方が互いに結合できる条件下で、添加する工程、
（ｄ）未結合第二ポリペプチドを除去する工程、
（ｅ）前記第一ポリペプチドに結合した検出可能な標識された第二ポリペプチドの量を測定する工程、
を含む、請求項１〜１６のいずれか１項記載の方法。
【請求項１８】
以下の工程、
（ａ）配列番号５のSTAT６の少なくともアミノ酸７９２〜８４７を含む第一ポリペプチドを、容器又はその容器の一部に存在する固体担体に結合する工程、
（ｂ）興味ある物質又は偽のコントロールを添加する工程、
（ｃ）配列番号４のNCoA-1の少なくともアミノ酸２１２〜４６３を含む、検出可能な標識された第二ポリペプチドを、前記ポリペプチドの両方が互いに結合できる条件下で、添加する工程、
（ｄ）未結合第二ポリペプチドを除去する工程、
（ｅ）前記第一ポリペプチドに結合した検出可能な標識された第二ポリペプチドの量を測定する工程、
を含む、請求項１〜１６のいずれか１項記載の方法。
【請求項１９】
以下の工程、
（ａ）配列番号２のSTAT６の少なくともアミノ酸６７７〜８４７を含む第一ポリペプチドを、容器又はその容器の一部に存在する固体担体に結合する工程、
（ｂ）興味ある物質又は偽のコントロールを添加する工程、
（ｃ）配列番号４のNCoA-1の少なくともアミノ酸２１２〜４６３を含む、検出可能な標識された第二ポリペプチドを、前記ポリペプチドの両方が互いに結合できる条件下で、添加する工程、
（ｄ）未結合第二ポリペプチドを除去する工程、
（ｅ）前記第一ポリペプチドに結合した検出可能な標識された第二ポリペプチドの量を測定する工程、
を含む、請求項１〜１６のいずれか１項記載の方法。
【請求項２０】
以下の工程、
（ａ）配列番号４のNCoA-1の少なくともアミノ酸２１２〜４６３を含む第一ポリペプチドを、容器又はその容器の一部に存在する固体担体に結合する工程、
（ｂ）興味ある物質又は偽のコントロールを添加する工程、
（ｃ）配列番号６の少なくともアミノ酸７９４〜８１４を含む、検出可能な標識された第二ポリペプチドを、前記ポリペプチドの両方が互いに結合できる条件下で、添加する工程、
（ｄ）未結合第二ポリペプチドを除去する工程、
（ｅ）前記第一ポリペプチドに結合した検出可能な標識された第二ポリペプチドの量を測定する工程、
を含む、請求項１〜１６のいずれか１項記載の方法。
【請求項２１】
以下の工程、
（ａ）配列番号４のNCoA-1の少なくともアミノ酸２１２〜４６３を含む第一ポリペプチドを、容器又はその容器の一部に存在する固体担体に結合する工程、
（ｂ）興味ある物質又は偽のコントロールを添加する工程、
（ｃ）配列番号５のSTAT６の少なくともアミノ酸７９２〜８４７を含む、検出可能な標識された第二ポリペプチドを、前記ポリペプチドの両方が互いに結合できる条件下で、添加する工程、
（ｄ）未結合第二ポリペプチドを除去する工程、
（ｅ）前記第一ポリペプチドに結合した検出可能な標識された第二ポリペプチドの量を測定する工程、
を含む、請求項１〜１６のいずれか１項記載の方法。
【請求項２２】
以下の工程、
（ａ）配列番号４のNCoA-1の少なくともアミノ酸２１２〜４６３を含む第一ポリペプチドを、容器又はその容器の一部に存在する固体担体に結合する工程、
（ｂ）興味ある物質又は偽のコントロールを添加する工程、
（ｃ）配列番号２のSTAT６の少なくともアミノ酸６７７〜８４７を含む、検出可能な標識された第二ポリペプチドを、前記ポリペプチドの両方が互いに結合できる条件下で、添加する工程、
（ｄ）未結合第二ポリペプチドを除去する工程、
（ｅ）前記第一ポリペプチドに結合した検出可能な標識された第二ポリペプチドの量を測定する工程、
を含む、請求項１〜１６のいずれか１項記載の方法。
【請求項２３】
前記標識が、その標識に特異的な抗体の結合によって検出される、請求項１７〜２２のいずれか１項記載の方法。
【請求項２４】
前記標識が、少なくとも５つの連続したヒスチジン残基を含むヒスチジンタグであり、前記抗体が、前記ヒスチジンタグに特異的である、請求項２３記載の方法。
【請求項２５】
前記抗体が、第二抗体の第一抗体への結合によって検出され、前記第二抗体が、測定可能な反応を触媒することができる酵素に連結されている、請求項２３又は２４記載の方法。
【請求項２６】
高処理スクリーニングで使用される、請求項１〜２５のいずれか１項記載の方法。
【請求項２７】
物質が、STAT６とNCoA-1との相互作用のアクチベーター又はインヒビターであるかどうかを決定するテストシステムであって、以下、
（ｂ）NCoA-1に結合する能力を有するSTAT６又はそのフラグメント若しくは誘導体、
（ｃ）STAT６に結合する能力を有するNCoA-1又はそのフラグメント若しくは誘導体、
（ｄ）前記STAT６又はそのフラグメント若しくは誘導体が、前記NCoA-1又はそのフラグメント若しくは誘導体と複合体を形成することができる容器、
（ｅ）前記複合体を測定する装置、
を含むことを特徴とする、テストシステム。
【請求項２８】
配列番号６の少なくともアミノ酸７９４〜８１４を含む、第一ポリペプチドが含まれ、かつ配列番号４のNCoA-1の少なくともアミノ酸２１２〜４６３を含む、第二ポリペプチドが含まれる、請求項２７記載のテストシステム。
【請求項２９】
配列番号５のSTAT６の少なくともアミノ酸７９２〜８４７を含む、第一ポリペプチドが含まれ、かつ配列番号４のNCoA-1の少なくともアミノ酸２１２〜４６３を含む、第二ポリペプチドが含まれる、請求項２７記載のテストシステム。
【請求項３０】
配列番号２のSTAT６の少なくともアミノ酸６７７〜８４７を含む、第一ポリペプチドが含まれ、かつ配列番号４のNCoA-1の少なくともアミノ酸２１２〜４６３を含む、第二ポリペプチドが含まれる、請求項２７記載のテストシステム。
【請求項３１】
STAT６及びNCoA-1の相互作用のアクチベーター又はインヒビターであることを特徴とする、物質。
【請求項３２】
STAT６及びNCoA-1相互作用のインヒビターである、請求項３１記載の物質。
【請求項３３】
少なくとも２つの機能部分から成り、そのひとつが、配列番号６のペプチド１であり、もうひとつが、ペプチド１の抑制機能を妨げない分子である、請求項３２記載の物質。
【請求項３４】
配列番号６のペプチド１である、請求項３２記載の物質。
【請求項３５】
配列番号６のペプチド１に対する抗体である、請求項３２記載の物質。
【請求項３６】
病気の治療のための、請求項３１〜３５のいずれか１項記載の物質。
【請求項３７】
請求項３１〜３５のいずれか１項記載の物質を含む医薬組成物。
【請求項３８】
炎症性気道疾患を治療するための医薬組成物を調製するための、請求項３１〜３５のいずれか１項記載の物質の使用。
【請求項３９】
前記炎症性気道疾患が、喘息である、請求項３８記載の使用。
【請求項４０】
腫瘍疾患を治療する医薬組成物を調製するための、請求項３１〜３５のいずれか１項記載の物質の使用。
【請求項４１】
前記腫瘍疾患が、ホジキンリンパ腫である、請求項４０記載の使用。
【請求項４２】
請求項３７記載の医薬組成物の好適な量を含む、炎症性気道疾患又は腫瘍疾患を治療するための医薬組成物。
【請求項４３】
炎症性気道疾患又は腫瘍疾患の治療を必要とする生物が哺乳動物である、請求項４２記載の医薬組成物。
【請求項４４】
炎症性気道疾患又は腫瘍疾患の治療を必要とする生物がヒトである、請求項４２記載の医薬組成物。
【請求項４５】
前記炎症性気道疾患が、喘息である、請求項４２〜４４のいずれか１項記載の医薬組成物。
【請求項４６】
前記腫瘍疾患が、ホジキンリンパ腫である、請求項４２〜４４のいずれか１項記載の医薬組成物。
【請求項４７】
STAT６とNCoA-1の相互作用のアクチベーター又はインヒビターである物質を含む、STAT６とNCoA-1との相互作用を選択的に調節するための医薬組成物。